(57)【要約】【課題】本発明は、かご枠上部に設置された案内手段の着脱や保守点検を制限することなくかご枠の高さ寸法を縮小できてヘッドクリアランスの縮小が行えるエレベータ用乗かごを提供することにある。【解決手段】本発明は、案内手段１２を上下部に設けたかご枠１０にかご室６を支持し、このかご室６を構成するハット型の天井３の周縁部３Ｅとかご枠１０の間に防振手段１１を介在させてなるエレベータ用乗かごにおいて、天井３の高さ寸法を縮小すると共に、かご枠１０の高さ寸法を縮小し、かつ、防振手段１１を天井３の周縁部３Ｅより下方に位置させたのである。  このように構成することで、案内手段１２の背面側に作業空間ＯＰが確保できると共に、かご枠１０の高さ寸法が縮小によりヘッドクリアランスの縮小を行うことができる。【選択図】図９
2008260623.tif 000002
【特許請求の範囲】
【請求項１】
昇降路内に敷設されたガイドレールと係合する案内手段を上下部に設けたかご枠と、このかご枠に支持されたかご室とを備え、このかご室を構成するハット型の天井の周縁部と前記かご枠との間に防振手段を介在させてなるエレベータ用乗かごにおいて、前記天井の高さ寸法を縮小すると共に、前記かご枠の高さ寸法を縮小し、かつ、前記防振手段を前記天井の周縁部より下方に位置させたことを特徴とするエレベータ用乗かご。
【請求項２】
床板と、この床板の周縁部から立設した側板と、この側板の頂部を塞ぎハット型に形成された天井と、前記側板の一部に形成した出入口と、この出入口を開閉するかごドアとを有するかご室を形成すると共に、左右一対の縦枠と、この縦枠の上端部を連結するクロスヘッドと、前記縦枠の下端部を連結する支持枠とを有するかご枠を形成し、このかご枠の前記支持枠上に前記かご室を搭載し、前記左右一対の縦枠と前記天井の周縁部との間に防振手段を介在させ、かつ前記左右一対の縦枠の上下部に夫々昇降路内に敷設されたガイドレールと係合する案内手段を設けたエレベータ用乗かごにおいて、前記天井の周縁部に、この周縁部より下方に位置するように前記防振手段を支持させると共に、前記天井の高さと前記縦枠の高さ寸法を縮小したことを特徴とするエレベータ用乗かご。
【請求項３】
前記防振手段は、前記天井の周縁部を下方に折曲げた折曲げ部に支持されていることを特徴とする請求項１又は２記載のエレベータ用乗かご。
【請求項４】
前記防振手段は、前記天井の周縁部に下方に延在して取付けられた別部材に支持されていることを特徴とする請求項１又は２記載のエレベータ用乗かご。
【請求項５】
前記かご枠の上部に対する前記案内手段の設置位置と前記天井の周縁部との間には、作業空間が形成されていることを特徴とする請求項１又は２記載のエレベータ用乗かご。
【発明の詳細な説明】
【技術分野】
【０００１】
本発明はエレベータ用乗かごに係り、特に、かご枠の高さ寸法を縮小し得るに好適なエレベータ用乗かごに関する。
【背景技術】
【０００２】
一般に乗かごは、図１〜図６に示すように構成されている。即ち、床板１と、この床板１の周縁部から立設した側板２と、この側板２の頂部を塞ぎハット型に形成された天井３と、前記側板２の一部に形成した出入口４と、この出入口４を開閉するかごドア５とを有するかご室６と、このかご室６の前記出入口４に隣接する左右の側板２にそれぞれ隙間を持って対向する左右一対の縦枠７Ａ，７Ｂと、この縦枠７Ａ，７Ｂの上端部を連結するクロスヘッド８と、前記縦枠７Ａ，７Ｂの下端部を連結する支持枠９とを有するかご枠１０とを備えており、このかご枠１０の前記支持枠９上に前記かご室６を搭載し、前記天井３の周縁部３Ｅの一部を上側に折曲げ、この上側に折曲げた折曲げ部分３Ｂと前記左右一対の縦枠７Ａ，７Ｂとの間に防振手段１１を介在させ、かつ前記左右一対の縦枠７Ａ，７Ｂの上下部に夫々昇降路内に敷設されたガイドレールと係合する案内手段１２を設けている。
【０００３】
尚、参考技術として特許文献１が挙げられる。
【０００４】
【特許文献１】特開２００２−２７４７６９号公報
【発明の開示】
【発明が解決しようとする課題】
【０００５】
上記構成のエレベータ用乗かごを備えたエレベータ設備の建屋への影響を少なくするために、乗かごが昇降路の最頂階に停止しているときに、乗かご頂部と昇降路天井との間隔、即ち、ヘッドクリアランスを可能な限り縮小することが望まれている。
【０００６】
そのために、図７に示すように、天井３の高さ寸法を低くし、それに合わせて縦枠７Ａ，７Ｂの高さ寸法を縮小することで、ヘッドクリアランスの縮小を図ることが考えられるが、天井３の高さ寸法を低くすると、それに伴って上部の案内手段１２の設置位置も下方に変位する。このために、前記防振手段１１を支持する前記天井３の上側への折曲げ部３Ｂが、前記上部の案内手段１２の背面側を塞ぐ状態とになり、背面側に確保した作業空ＯＰからの案内手段１２の着脱や保守点検を制限してしまい、得策とはいえない。
【０００７】
本発明の目的は、かご枠上部に設置された案内手段の着脱や保守点検を制限することなくかご枠の高さ寸法を縮小できてヘッドクリアランスの縮小が行えるエレベータ用乗かごを提供することにある。
【課題を解決するための手段】
【０００８】
本発明は上記目的を達成するために、案内手段を上下部に設けたかご枠にかご室を支持し、このかご室を構成するハット型の天井の周縁部と前記かご枠との間に防振手段を介在させてなるエレベータ用乗かごにおいて、前記天井の高さ寸法を縮小すると共に、前記かご枠の高さ寸法を縮小し、かつ、前記防振手段を前記天井の周縁部より下方で前記天井の周縁部に支持させたのである。
【０００９】
このように構成することで、案内手段の背面側には防振手段を支持する部材がなくなるので、案内手段の背面側に作業空間を確保することができると共に、かご枠の高さ寸法が縮小できるのでヘッドクリアランスの縮小を行うことができる。
【発明の効果】
【００１０】
以上説明したように本発明によれば、かご枠上部に設置された案内手段の着脱や保守点検を制限することなく、かご枠の高さ寸法を縮小できてヘッドクリアランスの縮小が行えるエレベータ用乗かごを得ることができる。
【発明を実施するための最良の形態】
【００１１】
以下本発明によるエレベータ用乗かごの一実施の形態を図８〜図１０に基づいて説明する。
【００１２】
尚、本実施の形態における乗かごの基本構成は、図１〜図６に示す従来の乗かごの構成と同じであるので再度の説明は省略し、ここでは従来の乗かごと異なる構成についてのみ説明する。
【００１３】
図１〜図６と異なる点は、まず、ハット型断面形状の天井３の高さ寸法を、かご室６内の高さ寸法を変えずに縮小し、その分、左右一対の縦枠７Ａ，７Ｂの高さ寸法を縮小するのである。このように、縦枠７Ａ，７Ｂの高さ寸法を縮小することで、縦枠７Ａ，７Ｂの上端部に支持された上部の案内手段１２の位置も当然下方に変位する。そして、天井３の周縁部３Ｅの一部を下側に折曲げ、この下側に折曲げた折曲げ部分３Ｂに前記縦枠7Ａ，７Ｂに接する防振手段１１を支持させたのである。
【００１４】
このように構成することで、図９に示すように、案内手段１２の背面側、具体的には、天井３の垂直辺３Ｖと案内手段１２との間には障害物がない作業空間ＯＰが形成されるので、この作業空間ＯＰを利用して案内手段１２の着脱作業や保守点検作業を行うことができるのである。
【００１５】
したがって、本実施の形態によれば、かご枠１０の上部に設置された案内手段１２の着脱や保守点検を制限することなく、かご枠１０の高さ寸法を縮小できるので、ヘッドクリアランスを縮小することができる。
【００１６】
ところで、以上説明の実施の形態においては、天井３の周縁部３Ｅの一部を下側に折曲げ、この下側に折曲げた折曲げ部分３Ｂに防振手段１１を支持させたものであるが、防振手段１１は、天井３の周縁部３Ｅに下方に延在して取付けた別部材に支持させるように構成してもよい。具体的には、天井３の周縁部３Ｅに逆Ｌ字状の取付金具の水平辺をビス止めや溶接などの周知の固定手段で固定し、固定された取付金具の下方に延在する垂直辺に防振手段１１を支持させるのである。このように構成することで、上記実施の形態と同じ効果を奏する外、天井３の周縁部３Ｅを下方に折曲げるための作業工程や材料を節約することができる。
【図面の簡単な説明】
【００１７】
【図１】従来のエレベータ用乗かごを示す側面図。
【図２】図１の正面図。
【図３】図１の乗かごの天井を示す平面図。
【図４】図３の正面図。
【図５】図１の乗かごの縦枠と案内手段と防振手段との位置関係を示す拡大図。
【図６】図５のＡ−Ａ線に沿う断面図。
【図７】改良案を示す図６相当図。
【図８】本発明のエレベータ用乗かごの一実施の形態による天井を示す図４相当図。
【図９】本発明のエレベータ用乗かごの一実施の形態による図６相当図。
【図１０】本発明のエレベータ用乗かごの一実施の形態による図５相当図。
【符号の説明】
【００１８】
１…床板、２…側板、３…天井、３Ｅ…周縁部、３Ｂ…折曲げ部、３Ｖ…垂直辺、４…出入口、５…かごドア、６…かご室、７Ａ，７Ｂ…縦枠７Ａ，７Ｂ、８…クロスヘッド、９…支持枠、１０…かご枠、１１…防振手段、１２…案内手段、ＯＰ…作業空間。
【図１】
2008260623.tif 000003
【図２】
2008260623.tif 000004
【図３】
2008260623.tif 000005
【図４】
2008260623.tif 000006
【図５】
2008260623.tif 000007
【図６】
2008260623.tif 000008
【図７】
2008260623.tif 000009
【図８】
2008260623.tif 000010
【図９】
2008260623.tif 000011
【図１０】
2008260623.tif 000012